(57)【特許請求の範囲】
【請求項１】
試験対象の移動通信端末（５）に対して信号を送受信することにより基地局を擬似する擬似基地局装置（１０）と、
前記擬似基地局装置の送信電力及び前記送信電力の時間的変化量の設定値を入力する入力画面（１１０、１４０、１７０）を生成する入力画面生成手段（２２、４１、７２）と、
前記送信電力及び前記送信電力の時間的変化量の設定値を入力する設定値入力手段（３１）と、
前記設定値入力手段が入力した設定値を用いて前記送信電力の時間変化を表すグラフ（１２０）を生成するグラフ生成手段（２３）と、
前記グラフを表示する表示手段（３３）と、を備えたことを特徴とする移動通信端末試験装置。
【請求項２】
前記入力画面生成手段（４１）は、時間の経過とともに送信電力を変化させる複数の変化点（Ｐ１〜Ｐ４）ごとの送信電力及び前記各変化点間の時間間隔の設定値を入力する入力画面（１４０）を生成するものであり、
前記設定値入力手段は、前記変化点の個数、前記複数の変化点ごとの送信電力及び前記各変化点間の時間間隔の各設定値を入力するものであり、
前記設定値入力手段が入力した前記変化点に係る各設定値を適用したグラフを前記グラフ生成手段に生成させる変化点設定手段（４２）をさらに備えたことを特徴とする請求項１に記載の移動通信端末試験装置。
【請求項３】
請求項１に記載の擬似基地局装置を第１の擬似基地局装置（５０）として備えるとともに、この第１の擬似基地局装置とは別個の第２の擬似基地局装置（６０）を備え、
前記入力画面生成手段（７２）は、時間の経過とともに、前記第１の擬似基地局部の送信電力を第１の送信電力から第２の送信電力まで変化させ、並行して前記第２の擬似基地局部の送信電力を前記第２の送信電力から前記第１の送信電力まで変化させる送信電力及び前記送信電力の時間的変化量を入力する入力画面（１７０）を生成するものであり、
前記設定値入力手段は、前記第１及び前記第２の擬似基地局装置に設定する送信電力及び前記送信電力の時間的変化量の設定値を入力するものであり、
前記設定値入力手段が入力した前記送信電力及び前記送信電力の時間的変化量のデータを前記第１及び前記第２の擬似基地局装置に設定する送信電力設定手段（７１）をさらに備えたことを特徴とする請求項１に記載の移動通信端末試験装置。
【請求項４】
前記送信電力設定手段は、前記第１の擬似基地局部の送信電力を前記第１の送信電力から前記第２の送信電力まで変化させる設定値を前記設定値入力手段が入力したときに、前記第２の擬似基地局装置に対して前記第２の送信電力から前記第１の送信電力まで変化させる設定値を決定し、前記設定値入力手段が入力した設定値を前記第１の擬似基地局装置に設定し、決定した設定値を前記第２の擬似基地局装置に設定するものであることを特徴とする請求項３に記載の移動通信端末試験装置。
【請求項５】
試験対象の移動通信端末（５）に対して信号を送受信することにより基地局を擬似する擬似基地局装置（１０）を備えた移動通信端末試験装置（１、２）によって前記移動通信端末を試験する移動通信端末試験方法であって、
前記擬似基地局装置の送信電力及び前記送信電力の時間的変化量の設定値を入力する入力画面を表示する入力画面表示ステップ（Ｓ１２、Ｓ２２）と、
前記送信電力及び前記送信電力の時間的変化量の設定値を入力する設定値入力ステップ（Ｓ１３、Ｓ２３）と、
前記設定値入力ステップにおいて入力した設定値を用いて前記送信電力の時間変化を表すグラフを生成するグラフ生成ステップ（Ｓ１４、Ｓ２６）と、
前記グラフを表示する表示ステップ（Ｓ１５、Ｓ２７）と、を含むことを特徴とする移動通信端末試験方法。
【請求項６】
前記入力画面表示ステップ（Ｓ２２）において、時間の経過とともに送信電力を変化させる複数の変化点ごとの送信電力及び前記各変化点間の時間間隔の設定値を入力する入力画面を表示し、
前記設定値入力ステップ（Ｓ２３）において、前記変化点の個数、前記複数の変化点ごとの送信電力及び前記各変化点間の時間間隔の設定値の設定値を入力し、
前記グラフ生成ステップ（Ｓ２６）において生成するグラフに前記複数の変化点ごとの送信電力及び前記各変化点間の時間のデータを設定する変化点設定ステップ（Ｓ２４、Ｓ２５）をさらに含むことを特徴とする請求項５に記載の移動通信端末試験方法。
【請求項７】
試験対象の移動通信端末（５）に対して信号を送受信することにより基地局を擬似する第１の擬似基地局装置（５０）と、この第１の擬似基地局装置とは別個の第２の擬似基地局装置（６０）を備えた移動通信端末試験装置（３）によって前記移動通信端末を試験する移動通信端末試験方法であって、
時間の経過とともに、前記第１の擬似基地局部の送信電力を第１の送信電力から第２の送信電力まで変化させ、並行して前記第２の擬似基地局部の送信電力を前記第２の送信電力から前記第１の送信電力まで変化させる送信電力及び前記送信電力の時間的変化量を入力する入力画面を表示する入力画面表示ステップ（Ｓ３２）と、
前記第１の擬似基地局装置に設定する送信電力及び前記送信電力の時間的変化量の設定値を入力する第１の設定値入力ステップ（Ｓ３３）と、
前記第２の擬似基地局装置に設定する送信電力及び前記送信電力の時間的変化量の設定値を入力する第２の設定値入力ステップ（Ｓ３４）と、
前記第１及び前記第２の設定値入力ステップにおいて入力した設定値を用いて前記送信電力の時間変化を表すグラフを生成するグラフ生成ステップ（Ｓ３５）と、
前記グラフを表示する表示ステップ（Ｓ３６）と、
前記第１及び前記第２の設定値入力ステップにおいて入力した前記送信電力及び前記送信電力の時間的変化量のデータを前記第１及び前記第２の擬似基地局装置にそれぞれ設定する送信電力設定ステップ（Ｓ３７）と、を含むことを特徴とする移動通信端末試験方法。
【請求項８】
前記第２の設定値入力ステップ（Ｓ３４）において、前記第２の擬似基地局装置に設定する送信電力及び前記送信電力の時間的変化量の設定値を入力する処理に代えて、前記第１の設定値入力ステップ（Ｓ３３）で入力した前記第１の擬似基地局装置に設定する送信電力及び前記送信電力の時間的変化量の設定値に応じて、前記第２の擬似基地局装置に設定する送信電力及び前記送信電力の時間的変化量のデータを決定し、
前記送信電力設定ステップ（Ｓ３７）において、前記第１の設定値入力ステップ（Ｓ３３）で入力した設定値を前記第１の擬似基地局装置に設定し、前記第２の設定値入力ステップ（Ｓ３４）で決定した前記送信電力及び前記送信電力の時間的変化量のデータを前記第２の擬似基地局装置に設定することを特徴とする請求項７に記載の移動通信端末試験方法。
【発明の詳細な説明】
【技術分野】
【０００１】
本発明は、例えば、携帯電話やモバイル端末等の移動通信端末を試験する移動通信端末試験装置及び移動通信端末試験方法に関する。
【背景技術】
【０００２】
従来、この種の移動通信端末試験装置としては、例えば、特許文献１に開示されたものが知られている。この移動通信端末試験装置は、試験対象の移動通信端末に対して信号を送受信することで基地局を擬似する２つの擬似基地局部と、各擬似基地局部の送信状態を設定する送信状態設定部と、キーボード等で構成された操作部とを備えている。この構成により、特許文献１記載の従来の移動通信端末試験装置は、試験者が操作部を操作して設定した試験条件に従って、移動通信端末の送信試験を実施できるようになっている。
【０００３】
例えば、従来の移動通信端末試験装置では、ハンドオーバ試験を実施する場合は、２つの擬似基地局部に対して送信電力の時間的変化（以下「送信電力変化」という。）を設定する数値データを試験者が操作部を操作して入力する。その結果、従来の移動通信端末試験装置は、一方の擬似基地局部の送信電力を徐々に低下させ、並行して他方の擬似基地局部の送信電力を徐々に増加させることによって、移動通信端末に対してハンドオーバ試験を実施することができる。
【先行技術文献】
【特許文献】
【０００４】
【特許文献１】特開２０１０−１３６３４１号公報
【発明の概要】
【発明が解決しようとする課題】
【０００５】
しかしながら、従来の移動通信端末試験装置では、試験者に操作部を操作させて送信電力変化を設定する数値データを入力させる構成なので、送信電力変化が誤設定されることがあった。そのため、従来の移動通信端末試験装置では、正しい数値データを再入力して、移動通信端末に対する試験をやり直す必要があった。
【０００６】
本発明は、前述のような事情に鑑みてなされたものであり、設定した送信電力変化を試験者に直感的に把握させ、送信電力変化の誤設定を防止することができる移動通信端末試験装置及び移動通信端末試験方法を提供することを目的とする。
【課題を解決するための手段】
【０００７】
本発明の請求項１に係る移動通信端末試験装置は、試験対象の移動通信端末（５）に対して信号を送受信することにより基地局を擬似する擬似基地局装置（１０）と、前記擬似基地局装置の送信電力及び前記送信電力の時間的変化量の設定値を入力する入力画面（１１０、１４０、１７０）を生成する入力画面生成手段（２２、４１、７２）と、前記送信電力及び前記送信電力の時間的変化量の設定値を入力する設定値入力手段（３１）と、前記設定値入力手段が入力した設定値を用いて前記送信電力の時間変化を表すグラフ（１２０）を生成するグラフ生成手段（２３）と、前記グラフを表示する表示手段（３３）と、を備えた構成を有している。
【０００８】
この構成により、本発明の請求項１に係る移動通信端末試験装置は、設定値入力手段が入力した設定値を用いて送信電力の時間変化を表すグラフを生成するグラフ生成手段と、グラフを表示する表示手段と、を備えるので、設定した送信電力変化を試験者に直感的に把握させ、送信電力変化の誤設定を防止することができる。
【０００９】
本発明の請求項２に係る移動通信端末試験装置は、前記入力画面生成手段（４１）は、時間の経過とともに送信電力を変化させる複数の変化点（Ｐ１〜Ｐ４）ごとの送信電力及び前記各変化点間の時間間隔の設定値を入力する入力画面（１４０）を生成するものであり、前記設定値入力手段は、前記変化点の個数、前記複数の変化点ごとの送信電力及び前記各変化点間の時間間隔の各設定値を入力するものであり、前記設定値入力手段が入力した前記変化点に係る各設定値を適用したグラフを前記グラフ生成手段に生成させる変化点設定手段（４２）をさらに備えた構成を有している。
【００１０】
この構成により、本発明の請求項２に係る移動通信端末試験装置は、時間の経過とともに送信電力を変化させる複数の変化点がある場合でも、グラフ表示により、設定した送信電力変化を試験者に直感的に把握させ、送信電力変化の誤設定を防止することができる。
【００１１】
本発明の請求項３に係る移動通信端末試験装置は、請求項１に記載の擬似基地局装置を第１の擬似基地局装置（５０）として備えるとともに、この第１の擬似基地局装置とは別個の第２の擬似基地局装置（６０）を備え、前記入力画面生成手段（７２）は、時間の経過とともに、前記第１の擬似基地局部の送信電力を第１の送信電力から第２の送信電力まで変化させ、並行して前記第２の擬似基地局部の送信電力を前記第２の送信電力から前記第１の送信電力まで変化させる送信電力及び前記送信電力の時間的変化量を入力する入力画面（１７０）を生成するものであり、前記設定値入力手段は、前記第１及び前記第２の擬似基地局装置に設定する送信電力及び前記送信電力の時間的変化量の設定値を入力するものであり、前記設定値入力手段が入力した前記送信電力及び前記送信電力の時間的変化量のデータを前記第１及び前記第２の擬似基地局装置に設定する送信電力設定手段（７１）をさらに備えた構成を有している。
【００１２】
この構成により、本発明の請求項３に係る移動通信端末試験装置は、ハンドオーバ試験を実施する場合でも、グラフ表示により、設定した送信電力変化を試験者に直感的に把握させ、送信電力変化の誤設定を防止することができる。
【００１３】
本発明の請求項４に係る移動通信端末試験装置は、前記送信電力設定手段は、前記第１の擬似基地局部の送信電力を前記第１の送信電力から前記第２の送信電力まで変化させる設定値を前記設定値入力手段が入力したときに、前記第２の擬似基地局装置に対して前記第２の送信電力から前記第１の送信電力まで変化させる設定値を決定し、前記設定値入力手段が入力した設定値を前記第１の擬似基地局装置に設定し、決定した設定値を前記第２の擬似基地局装置に設定するものである構成を有している。
【００１４】
この構成により、本発明の請求項４に係る移動通信端末試験装置は、ハンドオーバ試験でのデータ入力を簡易化することができる。
【００１５】
本発明の請求項５に係る移動通信端末試験方法は、試験対象の移動通信端末（５）に対して信号を送受信することにより基地局を擬似する擬似基地局装置（１０）を備えた移動通信端末試験装置（１、２）によって前記移動通信端末を試験する移動通信端末試験方法であって、前記擬似基地局装置の送信電力及び前記送信電力の時間的変化量の設定値を入力する入力画面を表示する入力画面表示ステップ（Ｓ１２、Ｓ２２）と、前記送信電力及び前記送信電力の時間的変化量の設定値を入力する設定値入力ステップ（Ｓ１３、Ｓ２３）と、前記設定値入力ステップにおいて入力した設定値を用いて前記送信電力の時間変化を表すグラフを生成するグラフ生成ステップ（Ｓ１４、Ｓ２６）と、前記グラフを表示する表示ステップ（Ｓ１５、Ｓ２７）と、を含む構成を有している。
【００１６】
この構成により、本発明の請求項５に係る移動通信端末試験方法は、設定値入力ステップにおいて入力した設定値を用いて送信電力の時間変化を表すグラフを生成するグラフ生成ステップと、グラフを表示する表示ステップと、を含むので、設定した送信電力変化を試験者に直感的に把握させ、送信電力変化の誤設定を防止することができる。
【００１７】
本発明の請求項６に係る移動通信端末試験方法は、前記入力画面表示ステップ（Ｓ２２）において、時間の経過とともに送信電力を変化させる複数の変化点ごとの送信電力及び前記各変化点間の時間間隔の設定値を入力する入力画面を表示し、前記設定値入力ステップ（Ｓ２３）において、前記変化点の個数、前記複数の変化点ごとの送信電力及び前記各変化点間の時間間隔の設定値の設定値を入力し、前記グラフ生成ステップ（Ｓ２６）において生成するグラフに前記複数の変化点ごとの送信電力及び前記各変化点間の時間のデータを設定する変化点設定ステップ（Ｓ２４、Ｓ２５）をさらに含む構成を有している。
【００１８】
この構成により、本発明の請求項６に係る移動通信端末試験方法は、時間の経過とともに送信電力を変化させる複数の変化点がある場合でも、グラフ表示により、設定した送信電力変化を試験者に直感的に把握させ、送信電力変化の誤設定を防止することができる。
【００１９】
本発明の請求項７に係る移動通信端末試験方法は、試験対象の移動通信端末（５）に対して信号を送受信することにより基地局を擬似する第１の擬似基地局装置（５０）と、この第１の擬似基地局装置とは別個の第２の擬似基地局装置（６０）を備えた移動通信端末試験装置（３）によって前記移動通信端末を試験する移動通信端末試験方法であって、時間の経過とともに、前記第１の擬似基地局部の送信電力を第１の送信電力から第２の送信電力まで変化させ、並行して前記第２の擬似基地局部の送信電力を前記第２の送信電力から前記第１の送信電力まで変化させる送信電力及び前記送信電力の時間的変化量を入力する入力画面を表示する入力画面表示ステップ（Ｓ３２）と、前記第１の擬似基地局装置に設定する送信電力及び前記送信電力の時間的変化量の設定値を入力する第１の設定値入力ステップ（Ｓ３３）と、前記第２の擬似基地局装置に設定する送信電力及び前記送信電力の時間的変化量の設定値を入力する第２の設定値入力ステップ（Ｓ３４）と、前記第１及び前記第２の設定値入力ステップにおいて入力した設定値を用いて前記送信電力の時間変化を表すグラフを生成するグラフ生成ステップ（Ｓ３５）と、前記グラフを表示する表示ステップ（Ｓ３６）と、前記第１及び前記第２の設定値入力ステップにおいて入力した前記送信電力及び前記送信電力の時間的変化量のデータを前記第１及び前記第２の擬似基地局装置にそれぞれ設定する送信電力設定ステップ（Ｓ３７）と、を含む構成を有している。
【００２０】
この構成により、本発明の請求項７に係る移動通信端末試験方法は、ハンドオーバ試験を実施する場合でも、グラフ表示により、設定した送信電力変化を試験者に直感的に把握させ、送信電力変化の誤設定を防止することができる。
【００２１】
本発明の請求項８に係る移動通信端末試験方法は、前記第２の設定値入力ステップ（Ｓ３４）において、前記第２の擬似基地局装置に設定する送信電力及び前記送信電力の時間的変化量の設定値を入力する処理に代えて、前記第１の設定値入力ステップ（Ｓ３３）で入力した前記第１の擬似基地局装置に設定する送信電力及び前記送信電力の時間的変化量の設定値に応じて、前記第２の擬似基地局装置に設定する送信電力及び前記送信電力の時間的変化量のデータを決定し、前記送信電力設定ステップ（Ｓ３７）において、前記第１の設定値入力ステップ（Ｓ３３）で入力した設定値を前記第１の擬似基地局装置に設定し、前記第２の設定値入力ステップ（Ｓ３４）で決定した前記送信電力及び前記送信電力の時間的変化量のデータを前記第２の擬似基地局装置に設定する構成を有している。
【００２２】
この構成により、本発明の請求項８に係る移動通信端末試験方法は、ハンドオーバ試験でのデータ入力を簡易化することができる。
【発明の効果】
【００２３】
本発明は、設定した送信電力変化を試験者に直感的に把握させ、送信電力変化の誤設定を防止することができるという効果を有する移動通信端末試験装置及び移動通信端末試験方法を提供することができるものである。
【図面の簡単な説明】
【００２４】
【図１】本発明に係る移動通信端末試験装置の第１実施形態におけるブロック構成図である。
【図２】本発明に係る移動通信端末試験装置の第１実施形態において、表示部に表示される送信電力設定画面の一例である。
【図３】本発明に係る移動通信端末試験装置の第１実施形態における動作を示すフローチャートである。
【図４】本発明に係る移動通信端末試験装置の第２実施形態におけるブロック構成図である。
【図５】本発明に係る移動通信端末試験装置の第２実施形態において、表示部に表示される送信電力設定画面の一例である。
【図６】本発明に係る移動通信端末試験装置の第２実施形態における動作を示すフローチャートである。
【図７】本発明に係る移動通信端末試験装置の第３実施形態におけるブロック構成図である。
【図８】本発明に係る移動通信端末試験装置の第３実施形態において、表示部に表示される送信電力設定画面の一例である。
【図９】本発明に係る移動通信端末試験装置の第３実施形態における動作を示すフローチャートである。
【発明を実施するための形態】
【００２５】
以下、本発明の実施形態について図面を用いて説明する。
【００２６】
（第１実施形態）
まず、本発明に係る移動通信端末試験装置の第１実施形態における構成について説明する。
【００２７】
図１に示すように、本実施形態における移動通信端末試験装置１は、移動通信端末５を試験するものであって、擬似基地局装置１０、送信電力設定処理部２０、操作部３１、表示制御部３２、表示部３３を備えている。
【００２８】
擬似基地局装置１０は、送信部１１、受信部１２、結合器１３、送信電力制御部１４、信号処理部１５を備えている。
【００２９】
送信部１１は、信号処理部１５によって指定された周波数の搬送波を所定の変調方式により変調し、基地局信号として結合器１３に出力するようになっている。
【００３０】
受信部１２は、被試験端末である移動通信端末５からの信号を結合器１３経由で受信するようになっている。
【００３１】
結合器１３は、送信部１１からの送信信号を移動通信端末５に出力し、移動通信端末５が送信した信号を受信部１２に出力するようになっている。
【００３２】
送信電力制御部１４は、送信部１１が出力する基地局信号の送信電力が、後述する送信電力設定部２１によって設定された送信電力となるよう制御するようになっている。
【００３３】
信号処理部１５は、試験対象の移動通信端末５に対して実行する各試験の試験手順のデータを予め記憶するメモリを備えている。この試験手順は、後述する操作部３１を試験者が操作することにより設定される。信号処理部１５は、試験手順に基づいて、送信部１１、受信部１２、結合器１３の動作を制御し、送信部１１及び受信部１２が送受信したメッセージを表示制御部３２に出力するようになっている。
【００３４】
送信電力設定処理部２０は、送信電力設定部２１、送信電力設定表示処理部２２、送信電力グラフ表示処理部２３を備えている。
【００３５】
送信電力設定部２１は、例えばＧＵＩ（Graphical User Interface）を介して、操作部３１から入力された送信電力の入力データに基づいて、送信部１１が出力する基地局信号の送信電力を設定するようになっている。
【００３６】
送信電力設定表示処理部２２は、送信電力の設定データ入力用のＧＵＩ画面を表示部３３の画面に表示するための画面データを生成し、表示制御部３２に出力するようになっている。この送信電力設定表示処理部２２は、本発明に係る入力画面生成手段を構成する。
【００３７】
送信電力グラフ表示処理部２３は、送信電力の設定値を示す設定値表示グラフを表示部３３の画面に表示するための画面データを生成し、表示制御部３２に出力するようになっている。この送信電力グラフ表示処理部２３は、本発明に係るグラフ生成手段を構成する。
【００３８】
操作部３１は、試験者が操作するものであり、例えば、アップリンク又はダウンリンクでの送信電力及びその時間的変化を指定するデータ等を含む試験条件や、試験手順に関する設定等を行うため、キーボード、ダイヤル又はマウスのような入力デバイス、これらを制御する制御回路等で構成される。この操作部３１は、本発明に係る設定値入力手段を構成する。
【００３９】
また、操作部３１は、試験者に試験モードの選択も行わせることができるものである。試験者に試験モードとしては、移動通信端末５との間で一般的な通信により試験を行うモード（以下「一般通信試験モード」という。）、移動通信端末５の電池寿命の試験を主目的とした電池寿命試験モード、移動通信端末５に基地局を切り替える動作を行わせるハンドオーバ試験モード等がある。
【００４０】
表示制御部３２は、信号処理部１５からの各種メッセージや、送信電力設定表示処理部２２及び送信電力グラフ表示処理部２３が生成した画面データ等を表示部３３の画面に表示させるよう制御するようになっている。
【００４１】
表示部３３は、例えば液晶ディスプレイで構成され、表示制御部３２の制御に従って、信号処理部１５からの各種メッセージ、送信電力の設定画面、送信電力のグラフ等を表示するようになっている。なお、表示部３３は、本発明に係る表示手段を構成する。表示部３３に表示される送信電力設定画面の一例を図２に示す。
【００４２】
図２において、表示部３３に表示される送信電力設定画面１００は、送信電力の設定値を入力する設定値入力画面１１０と、送信電力変化をグラフで示した設定値表示グラフ画面１２０とを含む。設定値入力画面１１０は、送信電力設定表示処理部２２が生成したＧＵＩ画面を表示部３３が表示したものである。また、設定値表示グラフ画面１２０は、送信電力グラフ表示処理部２３が生成したグラフを表示部３３が表示したものである。
【００４３】
設定値入力画面１１０は、送信電力変化の時間要素を設定する時間設定部１１１と、擬似基地局装置１０から移動通信端末５に向かうダウンリンクにおける送信電力の変化量を設定する送信電力変化量設定部１１２とを有する。この送信電力変化量設定部１１２は、３つのデータ入力窓（符号省略）を備え、変化前の送信電力、変化後の送信電力、送信電力の変化量が設定されるようになっている。図示の例では、ダウンリンクでの送信電力（DL Power）が、−４０ｄＢｍから−７０ｄＢｍまで、５秒ごとに５ｄＢ変化する時間的変化量で設定されている。なお、アップリンクでの送信電力も同様に設定可能である。
【００４４】
設定値表示グラフ画面１２０は、横軸を時間（秒）、縦軸を送信電力（ｄＢｍ）として、設定値入力画面１１０で設定された送信電力の設定値をグラフ表示したものである。移動通信端末試験装置１は、この設定値表示グラフ画面１２０を試験者に視認させることにより、試験者が自ら設定した送信電力変化を試験者に直感的に把握させることができる。したがって、移動通信端末試験装置１は、送信電力の設定に誤りがないか否かを試験者に容易に判断させることができ、送信電力変化の誤設定を防止することができる。
【００４５】
次に、本実施形態における移動通信端末試験装置１の動作について図３を用いて説明する。
【００４６】
試験者が操作部３１を操作することにより、試験モードが選択される（ステップＳ１１）。ここでは、一般的通信試験モードが選択されるものとする。
【００４７】
送信電力設定表示処理部２２は、送信電力設定画面１００の画面データを生成して表示制御部３２に出力し、表示部３３は送信電力設定画面１００を表示する（ステップＳ１２）。ここで表示される送信電力設定画面１００は、設定値入力画面１１０と、設定値表示グラフ画面１２０（グラフ表示なし）とを含む。
【００４８】
試験者が操作部３１を操作することにより、設定値入力画面１１０において送信電力の設定値が入力される（ステップＳ１３）。
【００４９】
送信電力グラフ表示処理部２３は、設定値入力画面１１０において入力された送信電力の設定値に基づいて設定値表示グラフ画面１２０の画面データを生成する（ステップＳ１４）。また、送信電力グラフ表示処理部２３は、生成したデータを表示制御部３２に出力し、表示部３３はグラフが表示された設定値表示グラフ画面１２０を表示する（ステップＳ１５）。
【００５０】
試験者が設定値表示グラフ画面１２０を確認して設定値に誤りがなければ、試験者が操作部３１を操作すると、送信電力設定部２１が送信電力を設定し（ステップＳ１６）、一般的通信試験モードでの通信試験が実行される（ステップＳ１７）。
【００５１】
以上のように、本実施形態における移動通信端末試験装置１は、送信電力の設定値をグラフ表示する送信電力グラフ表示処理部２３を備える構成としたので、設定した送信電力変化を試験者に直感的に把握させ、送信電力変化の誤設定を防止することができる。
【００５２】
（第２実施形態）
まず、本発明に係る移動通信端末試験装置の第２実施形態における構成について説明する。
【００５３】
図４に示すように、本実施形態における移動通信端末試験装置２は、第１実施形態における移動通信端末試験装置１（図１参照）の送信電力設定処理部２０に代えて、送信電力設定処理部４０を備えた点が異なっている。したがって、第１実施形態と重複する構成の説明は省略する。
【００５４】
送信電力設定処理部４０は、送信電力設定表示処理部４１及び変化点設定処理部４２を有する。
【００５５】
送信電力設定表示処理部４１は、送信電力の設定データ入力用のＧＵＩ画面を表示部３３の画面に表示するための画面データを生成し、表示制御部３２に出力するようになっている。この送信電力設定表示処理部４１は、本発明に係る入力画面生成手段を構成する。
【００５６】
変化点設定処理部４２は、送信部１１が出力する基地局信号の送信電力を時間とともに変化させて移動通信端末５を試験する際に、後述する変化点数増減部１４１で設定された個数分の、送信電力の変化点を含むグラフを送信電力グラフ表示処理部２３に生成させる情報を設定するようになっている。この変化点設定処理部４２は、本発明に係る変化点設定手段を構成する。
【００５７】
図５は、本実施形態における表示部３３に表示される送信電力設定画面１３０を示している。送信電力設定画面１３０は、送信電力の設定値を入力する設定値入力画面１４０と、送信電力変化を示した設定値表示グラフ画面１５０とを含む。設定値入力画面１４０は、送信電力設定表示処理部４１が生成したＧＵＩ画面を表示部３３が表示したものである。また、設定値表示グラフ画面１５０は、変化点設定処理部４２が設定した変化点に関する情報を入力して送信電力グラフ表示処理部２３が生成したグラフを表示部３３が表示したものである。
【００５８】
設定値入力画面１４０は、送信電力の変化点の個数を増減する変化点数増減部１４１を有する。また、設定値入力画面１４０は、擬似基地局装置１０から移動通信端末５に向かうダウンリンクにおける送信電力の各変化点の送信電力値入力窓と、各変化点の時間間隔（interval）を設定する時間間隔入力窓とを含む変化点設定部１４２を有する。さらに、設定値入力画面１４０は、変化点設定部１４２の画面表示をスクロールするスライダ１４３を有する。
【００５９】
変化点設定部１４２に表示される送信電力値入力窓及び時間間隔入力窓の表示数は、変化点数増減部１４１による増減値に応じて送信電力設定表示処理部４１が増減するようになっている。
【００６０】
図示の例では、基準点であるＰ０での送信電力設定値は−４０ｄＢｍ、第１の変化点であるＰ１での送信電力設定値は−９０ｄＢｍ、基準点Ｐ０と第１の変化点Ｐ１との時間間隔は１０秒に設定してある。
【００６１】
設定値表示グラフ画面１５０は、横軸を時間（秒）、縦軸を送信電力（ｄＢｍ）として、設定値入力画面１４０で設定された送信電力の設定値をグラフ表示したものである。移動通信端末試験装置２は、この設定値表示グラフ画面１５０を試験者に視認させることにより、試験者が自ら設定した送信電力変化を試験者に直感的に把握させることができる。したがって、移動通信端末試験装置２は、送信電力の設定に誤りがないか否かを試験者に容易に判断させることができ、送信電力変化の誤設定を防止することができる。
【００６２】
本実施形態において、移動通信端末５が、ダウンリンクの送信電力に応じてアップリンクの送信電力を増減するものとする。この場合、移動通信端末５は、ダウンリンクの送信電力が低下するとアップリンクの送信電力を増大し、ダウンリンクの送信電力が増大するとアップリンクの送信電力を低下することとなる。したがって、本実施形態での試験は、移動通信端末５の電池寿命試験として好適である。
【００６３】
次に、本実施形態における移動通信端末試験装置２の動作について図６を用いて説明する。
【００６４】
試験者が操作部３１を操作することにより、試験モードが選択される（ステップＳ２１）。ここでは、電池寿命試験モードが選択されるものとする。
【００６５】
送信電力設定表示処理部４１は、送信電力設定画面１３０の画面データを生成して表示制御部３２に出力し、表示部３３は送信電力設定画面１３０を表示する（ステップＳ２２）。ここで表示される送信電力設定画面１３０は、設定値入力画面１４０と、設定値表示グラフ画面１５０（グラフ表示なし）とを含む。
【００６６】
試験者が操作部３１を操作することにより、設定値入力画面１４０において送信電力の設定値が入力される（ステップＳ２３）。
【００６７】
送信電力設定表示処理部４１は、変化点数増減部１４１の操作により、変化点が増減されたか否かを判断する（ステップＳ２４）。
【００６８】
ステップＳ２４において、変化点が増減されたと判断した場合は、送信電力設定表示処理部４１は、送信電力値入力窓及び時間間隔入力窓の表示数を増減する（ステップＳ２５）。すなわち、送信電力設定表示処理部４１は、変化点が増加されたと判断した場合は送信電力値入力窓及び時間間隔入力窓の表示数を変化点数増減部１４１の設定値に応じて増加し、変化点が減少されたと判断した場合は送信電力値入力窓及び時間間隔入力窓の表示数を変化点数増減部１４１の設定値に応じて減少する。変化点を増加した場合、試験者は増加した変化点に対し、操作部３１を介して送信電力と時間間隔との設定値を入力する。
【００６９】
一方、ステップＳ２４において、変化点が増減されたと判断されなかった場合は、送信電力グラフ表示処理部２３は、設定値入力画面１４０において入力された送信電力の設定値に基づいて設定値表示グラフ画面１５０の画面データを生成する（ステップＳ２６）。また、送信電力グラフ表示処理部２３は、生成した画面データを表示制御部３２に出力し、表示部３３は設定値表示グラフ画面１５０を表示する（ステップＳ２７）。
【００７０】
試験者が設定値表示グラフ画面１５０を確認して設定値に誤りがなければ、試験者が操作部３１を操作すると、送信電力設定部２１が送信電力を設定し（ステップＳ２８）、電池寿命試験が実行される（ステップＳ２９）。
【００７１】
以上のように、本実施形態における移動通信端末試験装置２は、時間の経過とともに送信電力を変化させる複数の変化点を変化点数増減部１４１で設定し、複数の変化点を含むグラフを送信電力グラフ表示処理部２３に生成させる変化点設定処理部４２を備える構成としたので、時間の経過とともに送信電力を変化させる複数の変化点がある場合でも、グラフ表示により、設定した送信電力変化を試験者に直感的に把握させ、送信電力変化の誤設定を防止することができる。
【００７２】
（第３実施形態）
まず、本発明に係る移動通信端末試験装置の第３実施形態における構成について説明する。
【００７３】
図７に示すように、本実施形態における移動通信端末試験装置３は、第１実施形態における移動通信端末試験装置１（図１参照）の送信電力設定処理部２０に代えて送信電力設定処理部７０を備えた点と、擬似基地局装置を２つ備えた点が異なっている。したがって、第１実施形態と重複する構成の説明は省略する。
【００７４】
移動通信端末試験装置３は、第１実施形態における擬似基地局装置１０の２つ分に相当する第１の擬似基地局装置５０と、第２の擬似基地局装置６０とを備えている。
【００７５】
第１の擬似基地局装置５０は、送信部５１、受信部５２、結合器５３、送信電力制御部５４、信号処理部５５を備えている。第２の擬似基地局装置６０は、送信部６１、受信部６２、結合器６３、送信電力制御部６４、信号処理部６５を備えている。
【００７６】
送信電力設定処理部７０は、ハンドオーバ送信電力設定部７１、送信電力設定表示処理部７２を有する。
【００７７】
ハンドオーバ送信電力設定部７１は、第１の擬似基地局装置５０の送信部５１と、第２の擬似基地局装置６０の送信部６１とが出力する基地局信号の送信電力を時間とともに並行して変化させて移動通信端末５を試験する送信電力値を設定するようになっている。このハンドオーバ送信電力設定部７１は、本発明に係る送信電力設定手段を構成する。
【００７８】
送信電力設定表示処理部７２は、ハンドオーバの試験を行う送信電力の設定データ入力用のＧＵＩ画面を表示部３３に表示するための画面データを生成し、表示制御部３２に出力するようになっている。この送信電力設定表示処理部７２は、本発明に係る入力画面生成手段を構成する。
【００７９】
図８は、本実施形態における表示部３３に表示される送信電力設定画面１６０を示している。送信電力設定画面１６０は、送信電力の設定値を入力する設定値入力画面１７０と、送信電力変化を示した設定値表示グラフ画面１８０とを含む。設定値入力画面１７０は、送信電力設定表示処理部７２が生成したＧＵＩ画面を表示部３３が表示したものである。また、設定値表示グラフ画面１８０は、ハンドオーバ送信電力設定部７１が設定した情報により送信電力グラフ表示処理部２３が生成したグラフを表示部３３が表示したものである。
【００８０】
設定値入力画面１７０は、送信電力変化を設定する時間的変化設定部１７１と、第１の擬似基地局装置５０（ＢＴＳ１）の送信電力を設定する送信電力変化量設定部１７２と、第２の擬似基地局装置６０（ＢＴＳ２）の送信電力を設定する送信電力変化量設定部１７３とを有する。
【００８１】
ここで、試験者が操作部３１を操作して、送信電力変化量設定部１７２の設定値を設定すると、ハンドオーバ送信電力設定部７１は、その設定値に応じて送信電力変化量設定部１７３の設定値を決定するようになっている。図示の例では、送信電力変化量設定部１７２のハンドオーバ前の送信電力が−４０ｄＢｍ、ハンドオーバ後の送信電力が−７０ｄＢｍ、送信電力の変化量が５秒あたり５ｄＢと設定されたとき、ハンドオーバ送信電力設定部７１は、送信電力変化量設定部１７２のハンドオーバ前の送信電力を−７０ｄＢｍ、ハンドオーバ後の送信電力を−４０ｄＢｍ、送信電力の変化量を５秒あたり５ｄＢと決定する。
【００８２】
設定値表示グラフ画面１８０は、横軸を時間（秒）、縦軸を送信電力（ｄＢｍ）として、設定値入力画面１７０で設定された送信電力の設定値をグラフ表示したものである。移動通信端末試験装置３は、この設定値表示グラフ画面１８０を試験者に視認させることにより、試験者が自ら設定した送信電力変化を直感的に把握させることができる。したがって、移動通信端末試験装置３は、送信電力の設定に誤りがないか否かを試験者に容易に判断させることができ、送信電力変化の誤設定を防止することができる。
【００８３】
次に、本実施形態における移動通信端末試験装置３の動作について図９を用いて説明する。
【００８４】
試験者が操作部３１を操作することにより、試験モードが選択される（ステップＳ３１）。ここでは、ハンドオーバ試験モードが選択されるものとする。
【００８５】
送信電力設定表示処理部７２は、送信電力設定画面１６０のデータを生成して表示制御部３２に出力し、表示部３３は送信電力設定画面１６０を表示する（ステップＳ３２）。ここで表示される送信電力設定画面１６０は、設定値入力画面１７０と、設定値表示グラフ画面１８０（グラフ表示なし）とを含む。
【００８６】
試験者が操作部３１を操作することにより、時間的変化設定部１７１の設定値と、送信電力変化量設定部１７２の送信電力の設定値、すなわち第１の擬似基地局装置５０の送信電力の設定値とが入力される（ステップＳ３３）。
【００８７】
ハンドオーバ送信電力設定部７１は、送信電力変化量設定部１７２の送信電力の設定値に応じて、送信電力変化量設定部１７３の設定値、すなわち第２の擬似基地局装置６０の送信電力の設定値を決定し（ステップＳ３４）、表示部３３によって送信電力変化量設定部１７３のデータ入力窓に画面表示される。なお、ステップＳ３４において、試験者が操作部３１を操作することにより、第２の擬似基地局装置６０の送信電力の設定値を入力する構成としてもよい。
【００８８】
送信電力グラフ表示処理部２３は、設定値入力画面１７０において入力された送信電力の設定値に基づいて設定値表示グラフ画面１８０の画面データを生成する（ステップＳ３５）。また、送信電力グラフ表示処理部２３は、生成したデータを表示制御部３２に出力し、表示部３３は設定値表示グラフ画面１８０を表示する（ステップＳ３６）。
【００８９】
試験者が設定値表示グラフ画面１８０を確認して設定値に誤りがなければ、試験者が操作部３１を操作すると、ハンドオーバ送信電力設定部７１が第１の擬似基地局装置５０及び第２の擬似基地局装置６０に対してそれぞれ送信電力を設定し（ステップＳ３７）、ハンドオーバ試験が実行される（ステップＳ３８）。
【００９０】
以上のように、本実施形態における移動通信端末試験装置３は、第１の擬似基地局装置５０及び第２の擬似基地局装置６０のハンドオーバ試験における送信電力の設定値をグラフ表示する送信電力グラフ表示処理部２３を備える構成としたので、ハンドオーバ試験において、設定した送信電力変化を試験者に直感的に把握させ、送信電力変化の誤設定を防止することができる。
【００９１】
なお、前述の実施形態において、第１の擬似基地局装置５０の送信電力を徐々に減少させ、第２の擬似基地局装置６０の送信電力を徐々に増加させる例を挙げたが、送信電力の増減はこの逆であってもよい。
【産業上の利用可能性】
【００９２】
以上のように、本発明に係る移動通信端末試験装置及び移動通信端末試験方法は、設定した送信電力変化を試験者に直感的に把握させ、送信電力変化の誤設定を防止することができるという効果を有し、携帯電話やモバイル端末等の移動通信端末を試験する移動通信端末試験装置及び移動通信端末試験方法として有用である。
【符号の説明】
【００９３】
１、２、３  移動通信端末試験装置
５  移動通信端末
１０  擬似基地局装置
１１、５１、６１  送信部
１２、５２、６２  受信部
１３、５３、６３  結合器
１４、５４、６４  送信電力制御部
１５、５５、６５  信号処理部
２０、４０、７０  送信電力設定処理部
２１  送信電力設定部
２２、４１、７２  送信電力設定表示処理部（入力画面生成手段）
２３  送信電力グラフ表示処理部（グラフ生成手段）
３１  操作部（設定値入力手段）
３２  表示制御部
３３  表示部（表示手段）
４２  変化点設定処理部（変化点設定手段）
５０  第１の擬似基地局装置
６０  第２の擬似基地局装置
７１  ハンドオーバ送信電力設定部（送信電力設定手段）
１００、１３０、１６０  送信電力設定画面
１１０、１４０、１７０  設定値入力画面
１１１  時間設定部
１１２  送信電力変化量設定部
１２０、１５０、１８０  設定値表示グラフ画面
１４１  変化点数増減部
１４２  変化点設定部
１４３  スライダ
１７１  時間的変化設定部
１７２  送信電力変化量設定部
１７３  送信電力変化量設定部
【図１】
0005303611.tif 000002
【図２】
0005303611.tif 000003
【図３】
0005303611.tif 000004
【図４】
0005303611.tif 000005
【図５】
0005303611.tif 000006
【図６】
0005303611.tif 000007
【図７】
0005303611.tif 000008
【図８】
0005303611.tif 000009
【図９】
0005303611.tif 000010